(57)【特許請求の範囲】
【請求項１】
浴室内側を向く面発光体と、
透光性を有して前記面発光体の前記浴室内側を覆うカバーを備え、
前記カバーの前記浴室内に臨む面が、前記浴室の天井面を構成し、
前記面発光体は、
前記カバーに対向し、その上側が浴室外側となる板材と、
複数の発光ブロックとを備え、
前記板材を厚み方向に貫通する取付孔が複数形成され、
前記発光ブロックが前記複数の取付孔の夫々に配置され、
前記複数の発光ブロックの夫々が前記カバー側に光を発する光源を備え、これら光源が前記板材に沿う平面状に分散して配置され、前記複数の発光ブロックの夫々が対応する前記取付孔の周縁部に取り付けられて、前記複数の発光ブロックの夫々で前記取付孔が塞がれたことを特徴とする照明装置。
【請求項２】
前記カバーの前記浴室内に臨む面が、前記天井面の一部を構成し、この面が、隣接する、前記天井面の他の部分と面一状に配置されるように構成されたことを特徴とする請求項１に記載の照明装置。
【請求項３】
浴室内側を向く面発光体と、
透光性を有して前記面発光体の前記浴室内側を覆うカバーを備え、
前記面発光体は、
前記カバーに対向する板材と、
複数の発光ブロックとを備え、
前記板材を厚み方向に貫通する取付孔が複数形成され、
前記発光ブロックが前記複数の取付孔の夫々に配置され、
前記複数の発光ブロックの夫々が前記カバー側に光を発する光源を備え、これら光源が前記板材に沿う平面状に分散して配置され、前記複数の発光ブロックの夫々が対応する前記取付孔の周縁部に取り付けられて、前記複数の発光ブロックの夫々で前記取付孔が塞がれ、
前記カバーおよび前記板材が取り付けられ且つ前記浴室に固定される取付体を更に備え、
前記カバーが前記取付体に対して着脱可能であり、
前記複数の発光ブロックの夫々が、前記光源を収納するケースを備え、このケースが対応する前記取付孔の周縁部に気密状態で着脱可能に取り付けられるように構成されたことを特徴とする照明装置。
【発明の詳細な説明】
【技術分野】
【０００１】
本発明は、一般に照明装置、より詳細には、浴室内を照明する照明装置に関する。
【背景技術】
【０００２】
特許文献１には、浴室の天井に設けられる照明装置が開示されている。この照明装置は、線状に光るライン照明であって、一直線に配置された複数の導光材と、各導光材に光を出射する光源ユニットと、これら導光材および光源ユニットを収納するケースと、カバーとを備えている。
【０００３】
ケースは、断面視略Ｈ字形状に形成されており、対向する一対の側板と、一対の側板を連結する連結板を備えている。導光材は、ケースの連結板よりも下位の下側領域に収納されている。カバーは透明性合成樹脂で構成されている。カバーは、ケースの両側板の下側部分に装着されており、導光体を覆っている。光源ユニットは、ケースの連結板に形成された開口部に差し込まれている。光源ユニットは、導光材の入射面に対峙し、導光材の入射面に光を出射する光源を備えている。導光材は、光源から出射された光を天井下に導く。
【先行技術文献】
【特許文献】
【０００４】
【特許文献１】国際公開第２０１１／１３２４５９号
【発明の概要】
【発明が解決しようとする課題】
【０００５】
ところで、特許文献１のケースの連結板には、前述のように光源ユニットを差し込むための開口部が形成されている。このため、この開口部の周縁部と光源ユニットとの間に生じた僅かな隙間から、天井裏の埃や虫等が、導光材とカバーとの間に入り込む可能性がある。このように導光材とカバーの間に埃等が入り込むと、照明時に埃等が影となって良好な照明を行い難くなる。また、カバーを取り外して、埃等を取り除く作業も必要になる。
【０００６】
本発明は前記事情に鑑みてなされたものであって、浴室外の埃等が、カバーの裏側に入り込むことを抑制できる照明装置を提供することを目的とする。
【課題を解決するための手段】
【０００７】
本発明の照明装置は、浴室内側を向く面発光体と、透光性を有して前記面発光体の前記浴室内側を覆うカバーを備え、前記カバーの前記浴室内に臨む面が、前記浴室の天井面を構成し、前記面発光体は、前記カバーに対向し、その上側が浴室外側となる板材と、複数の発光ブロックとを備え、前記板材を厚み方向に貫通する取付孔が複数形成され、前記発光ブロックが前記複数の取付孔の夫々に配置され、前記複数の発光ブロックの夫々が前記カバー側に光を発する光源を備え、これら光源が前記板材に沿う平面状に分散して配置され、前記複数の発光ブロックの夫々が対応する前記取付孔の周縁部に取り付けられて、前記複数の発光ブロックの夫々で前記取付孔が塞がれたことを特徴とする。
また、本発明の他の照明装置は、浴室内側を向く面発光体と、透光性を有して前記面発光体の前記浴室内側を覆うカバーを備え、前記面発光体は、前記カバーに対向する板材と、複数の発光ブロックとを備え、前記板材を厚み方向に貫通する取付孔が複数形成され、前記発光ブロックが前記複数の取付孔の夫々に配置され、前記複数の発光ブロックの夫々が前記カバー側に光を発する光源を備え、これら光源が前記板材に沿う平面状に分散して配置され、前記複数の発光ブロックの夫々が対応する前記取付孔の周縁部に取り付けられて、前記複数の発光ブロックの夫々で前記取付孔が塞がれ、前記カバーおよび前記板材が取り付けられ且つ前記浴室に固定される取付体を更に備え、前記カバーが前記取付体に対して着脱可能であり、前記複数の発光ブロックの夫々が、前記光源を収納するケースを備え、このケースが対応する前記取付孔の周縁部に気密状態で着脱可能に取り付けられるように構成されたことを特徴とする。
【発明の効果】
【０００８】
本発明にあっては、複数の発光ブロックの夫々が取付孔を塞ぐため、浴室外の埃等が、面発光体とカバーの間に入り込むことを抑制できる。
【図面の簡単な説明】
【０００９】
【図１】本発明の実施形態の一例の照明装置を備えた浴室の上部分解斜視図である。
【図２】前記照明装置と前記浴室の壁パネルの連結構造を図１のＡ−Ａ′線断面で示した断面図である。
【図３】前記照明装置の面発光体の斜視図である。
【図４】前記照明装置の面発光体およびカバーの要部断面図である。
【図５】前記照明装置の発光ブロックを板材から取り外した状態を示した説明図である。
【図６】変形例の照明装置の面発光体の要部断面図である。
【図７】他の変形例の照明装置の面発光体の斜視図である。
【発明を実施するための形態】
【００１０】
以下、本発明の実施形態について、添付図面に基づいて説明する。本実施形態の照明装置１は、図１に示すように、浴室６の天井に設けられる。照明装置１は面状に発光し、浴室６内の全体を照明する。
【００１１】
本実施形態の浴室６は、天井パネル６０、６１、壁パネル６２、および床パンを備えたユニットルームである。
【００１２】
浴室６の４方の壁は、複数枚の壁パネル６２で構成されている。浴室６の天井は、第１天井パネル６０、第２天井パネル６１、および照明装置１で構成されている。第１天井パネル６０、第２天井パネル６１、および照明装置１は、いずれも壁パネル６２上に設置されている。
【００１３】
なお、本実施形態では、天井の照明装置１以外の部分が２枚の天井パネル６０，６１で構成されているが、１枚の天井パネルで構成されてもよいし、３枚以上の天井パネルで構成されてもよい。また、天井全体が照明装置１で構成されてもよい。
【００１４】
第１天井パネル６０および第２天井パネル６１は、長さ方向が平行な平面視矩形状に形成されている。照明装置１は、長さ方向が第１天井パネル６０の長さ方向と直交する平面視矩形のパネル状に形成されている。第１天井パネル６０と第２天井パネル６１は、照明装置１の長辺に沿って並べて配置され、互いに隣接している。
【００１５】
第１天井パネル６０には、浴室乾燥機を取り付けるための取着口６３が形成されている。取着口６３は、第１天井パネル６０において照明装置１側に偏った位置に形成されている。
【００１６】
第２天井パネル６１には、浴室６内から天井裏を点検するための点検口６４が形成されている。点検口６４は、第２天井パネル６１において照明装置１側に偏った位置に形成されている。これにより、点検口６４は、照明装置１および浴室乾燥機に近い位置に存在している。
【００１７】
点検口６４は、第２天井パネル６１に取り付けられた点検蓋で閉塞される。点検蓋は、第２天井パネル６１に対して着脱可能である。このため、作業者は、点検蓋を取り外すことで、点検口６４を介して、照明装置１および浴室乾燥機のメンテナンスを容易に行うことができる。
【００１８】
第１天井パネル６０および第２天井パネル６１は、２辺が壁パネル６２上に配置されて壁パネル６２に連結されている。
【００１９】
本実施形態の照明装置１は、浴室６の天井の１／３以上を構成し、浴室６の天井のおよそ半分を占める。
【００２０】
図示は省略するが、床パンで構成された浴室６の床には、片側に浴槽が設置され、この床において浴槽と反対側の部分が洗い場になっている。例えば第１天井パネル６０は、浴槽の上方位置に配置され、第２天井パネル６１は洗い場の上方位置に配置される。このとき、照明装置１は浴槽と洗い場の両者に上方に配置される。
【００２１】
なお、第１天井パネル６０、第２天井パネル６１、および照明装置１の位置は前記に制限されない。例えば、第１天井パネル６０が洗い場の上方位置に配置され、第２天井パネル６１が浴槽の上方位置に配置されてもよい。このとき、照明装置１は浴槽と洗い場の両者の上方に配置される。
【００２２】
照明装置１は、装置本体２と取付体５を備えている。装置本体２は、取付体５を介して、第１天井パネル６０、第２天井パネル６１、および壁パネル６２の３者に取り付けられている。
【００２３】
本実施形態の取付体５は、平面視矩形状の取付枠であって、照明装置１の周縁部を構成している。取付体５は、矩形状に枠組みされた４方のフレーム５０で構成されており、浴室６の対向する壁パネル６２間に架け渡されている。
【００２４】
図２は、照明装置１と壁パネル６２の連結構造を、図１のＡ−Ａ′線断面で示した断面図である。取付体５の各フレーム５０の下端部には、枠状の取付体５の内側に向かって突出した載置部５１が形成されている。取付体５の下端部には、各フレーム５０の載置部５１で囲まれた下開口５２が形成されている。枠状の取付体５の内側に形成された内側空間５３は、下開口５２を通じて下方に開口している。
【００２５】
装置本体２は、スペーサー２０、面発光体２１、押さえ部材２２、およびカバー２３を備えている。本実施形態のスペーサー２０は、フレーム５０毎に設けられている。各フレーム５０に設けられたスペーサー２０は、枠状の取付体５の内面に沿って配置されている。各スペーサー２０は対応するフレーム５０の略全長に亘っており、これらスペーサー２０は、平面視で矩形枠状に並べて配置されている。
【００２６】
各スペーサー２０は、対応するフレーム５０の載置部５１に載置され、対応するフレーム５０に取り付けられている。なお、本実施形態の各スペーサー２０は、掛止によりフレーム５０に取り付けられているが、ねじ等の固着具で取付体５に取り付けられてもよい。また、スペーサー２０はフレーム５０と一体に形成されてもよい。
【００２７】
面発光体２１は、枠状の取付体５の内側に配置されている。図３に示すように、面発光体２１は、板材２４と、板材２４に取り付けられた複数（多数）の発光ブロック２５とで構成されている。
【００２８】
板材２４は、平面視で取付体５の長さ方向に延びる矩形状に形成されている。板材２４は、平面視で取付体５の内側空間５３の略全体に亘っている。なお、板材２４は一枚の板で構成されてもよいし、複数枚の板で構成されてもよい。
【００２９】
板材２４には、厚み方向に貫通する取付孔２６が複数形成されている。本実施形態の取付孔２６は、平面視で板材２４の幅方向と平行な長さ方向を有する矩形状の孔であって、板材２４の長さ方向に多数並べて形成されている。各取付孔２６は、板材２４の幅方向の略全長に亘っている。
【００３０】
発光ブロック２５は、各取付孔２６に１対１で配置されている。図４に示すように各発光ブロック２５は、回路基板２７、光源２８、およびケース２９を備えている。
【００３１】
各発光ブロック２５のケース２９には、回路基板２７に設けられた光源２８が収納されている。回路基板２７は、板材２４の幅方向に延びた長尺板状である。回路基板２７には、光源２８が長さ方向に多数実装されている。
【００３２】
本実施形態の光源２８は、下向き（浴室６内側）に光を発する発光ダイオードである。なお、光源２８は、白熱電球や蛍光灯、有機エレクトロルミネッセンス等、その他の光源であってもよい。
【００３３】
ケース２９は、逆ハット状に形成されており、上方に開口した箱状部３０と、箱状部３０の上縁部から突出した鍔部３１を備えている。箱状部３０は、平面視矩形の底板部分４４と、底板部分４４の周縁部から上方に突出した矩形筒状の周壁部３３を備えている。鍔部３１は、周壁部３３の上端部から外方に向かって突出しており、周壁部３３の周方向全長に亘っている。
【００３４】
回路基板２７は、光源２８が実装された面（下面）を下に向けた状態で、箱状部３０の上開口を覆うように、ケース２９の鍔部３１に載置されて固定されている。
【００３５】
回路基板２７に実装された多数の光源２８は、回路基板２７とケース２９の箱状部３０で囲まれた閉鎖空間４２に配置されている。このため、光源２８および回路基板２７には、水がかかり難くなっている。
【００３６】
板材２４には、各発光ブロック２５が備えた光源２８が板材２４の面に沿う平面状に分散して、板材２４の全体に亘って多数配置されている。
【００３７】
回路基板２７には、天井裏となる板材２４の上方（浴室６外側）に配置された配線３４が接続されている。
【００３８】
回路基板２７には、配線３４を通じて電力が供給されており、この電力で光源２８は発光する。
【００３９】
ケース２９は透光性を有している。このため、ケース２９の箱状部３０に収納された光源２８から発せられた光は、ケース２９を通してカバー２３側に出射する。なお、ケース２９は少なくとも光源２８から発せられた光が下方に透過できればよく、ケース２９の一部のみが透光性を有していてもよい。
【００４０】
本実施形態の発光ブロック２５は、箱状部３０を取付孔２６に第１パッキン３５を介して嵌め込むことで板材２４に取り付けられる。
【００４１】
このように発光ブロック２５が取付孔２６に嵌め込まれることで、板材２４の下面に発光ブロック２５を取り付ける場合と比較して、発光ブロック２５の下方への突出量を抑えることができ、延いては照明装置１の薄型化を図れる。なお、発光ブロック２５は、配線３４が板材２４の下側に露出しないように板材２４に取り付けられる。
【００４２】
ここで、発光ブロック２５の取付けは、板材２４の上方から行われてもよいし、板材２４の下方から行われてもよい。
【００４３】
作業者が発光ブロック２５の取り付けを板材２４の上方から行う場合、例えば第２天井パネル６１の点検口６４から体を出して作業を行う。また、作業者が発光ブロック２５の取り付けを板材２４の下方から行う場合、例えば、まず図５に示すように発光ブロック２５を傾けた状態で取付孔２６を通して板材２４の上方に移動する。この後、作業者は、ケース２９の箱状部３０を第１パッキン３５を介して取付孔２６に嵌め込む。
【００４４】
なお、発光ブロック２５を板材２４に取り付ける方法は、前記に制限されない。例えば発光ブロック２５は、板材２４の取付孔２６の周縁部に下方から挿通したねじを発光ブロック２５のケース２９の鍔部３１にねじ込むことで取り付けてもよい。また、発光ブロック２５は、ねじ以外の固着具を用いて板材２４に取り付けられてもよいし、掛止によって板材２４に取り付けられてもよい。
【００４５】
板材２４に取り付けられた発光ブロック２５は、板材２４の上方および下方のいずれからも取り外すことができる。作業者が発光ブロック２５を板材２４の上方から取り外す場合、例えば第２天井パネル６１の点検口６４から体を出して作業を行う。また、作業者が発光ブロック２５を板材２４の下方から取り外す場合、例えば、ケース２９を取付孔２６から上方に持ち上げる。次に、発光ブロック２５を図５に示すように傾けた状態で取付孔２６を通して板材２４の下方に引き出す。
【００４６】
本実施形態の発光ブロック２５のケース２９は、板材２４の取付孔２６の周縁部に気密状態で取り付けられる。このため、板材２４の上側（浴室６外側）に存在する埃や虫等は、取付孔２６の周縁部と発光ブロック２５の間を通って板材２４の下側に入り難くなっている。
【００４７】
図４に示すように、本実施形態の第１パッキン３５は、鍔部３１の下面に沿い鍔部３１の周方向に亘る環状部分３６と、周壁部３３の外周面に沿い周壁部３３の周方向に亘る筒状部分３７を備えている。筒状部分３７は、環状部分３６の内縁部から下方に向かって突出している。
【００４８】
筒状部分３７は、ケース２９の周壁部３３と取付孔２６の周縁部の間に挟まれて圧縮されている。この筒状部分３７で、ケース２９の周壁部３３と取付孔２６の周縁部の間は気密されている。
【００４９】
環状部分３６は、板材２４に固定されたケース２９の鍔部３１によって下側に押圧されている。環状部分３６は、鍔部３１と取付孔２６の周縁部の間に挟まれて圧縮されている。この環状部分３６で、鍔部３１と取付孔２６の周縁部の間は気密されている。
【００５０】
以上のように、本実施形態の発光ブロック２５は、光源２８および回路基板２７の実装面がケース２９で覆われるため、発光ブロック２５の防水性を高めることができる。
【００５１】
なお、第１パッキン３５は、発光ブロック２５を板材２４に取り付ける前においてケース２９に取り付けられてもよいし、板材２４に取り付けられてもよい。
【００５２】
発光ブロック２５と取付孔２６の周縁部の間を気密する手段は、第１パッキン３５に制限されない。例えば、ケース２９の取付孔２６の周縁部に対応する部分を弾性変形しやすい材料で構成し、この部分を取付孔２６の周縁部に押し付けて、発光ブロック２５と取付孔２６の周縁部の間を気密してもよい。また、発光ブロック２５と取付孔２６の周縁部の間は、気密されなくてもよい。
【００５３】
図２に示すように面発光体２１の板材２４の周縁部は、平面視で矩形枠状に配置された複数のスペーサー２０に載置されている。
【００５４】
本実施形態の押さえ部材２２は、取付体５の各フレーム５０に設けられている。各押さえ部材２２は、対応するフレーム５０に載置されており、この状態で複数のねじ３８で対応するフレーム５０に取り付けられている。
【００５５】
各押さえ部材２２には、対応するフレーム５０の上端部から枠状の取付体５の内側に向けて突出した押さえ部３９が形成されている。各押さえ部材２２の押さえ部３９は、板材２４の周縁部の上面に接し、板材２４を上から押さえる。これにより、板材２４の周縁部は、複数のスペーサー２０と複数の押さえ部材２２によって上下に挟まれて固定されている。なお、板材２４は、周縁部がねじで直接フレーム５０に取り付けられてもよい。
【００５６】
カバー２３は、平面視で取付体５の下開口５２よりもやや大きい矩形板状に形成されており、取付体５の下開口５２を覆うように、取付体５の下方に配置されている。カバー２３は、取付体５の内側空間５３を介して面発光体２１に対向している。
【００５７】
カバー２３は、透光部を備えている。本実施形態のカバー２３は、その全体が透光性を有する平面状の透光部になっている。本実施形態のカバー２３は、面発光体２１の各光源２８から発せられた光を拡散する機能を備えた拡散カバー２３である。この拡散機能は、例えばカバー２３にシボ加工等の表面処理を施すことで付与される。カバー２３は、面発光体２１の各光源２８から発せられた光を拡散し、この光を浴室６内側に出射する。
【００５８】
カバー２３は、取付体５の下開口５２の周縁部に、複数のねじ４０を用いて下方から取り付けられている。
【００５９】
本実施形態では、カバー２３と取付体５の下開口５２の周縁部の間に第２パッキン４１が設けられている。第２パッキン４１は、取付体５の周方向に亘っており、取付体５に固定されたカバー２３により、上側に押圧されている。第２パッキン４１は、カバー２３の周縁部と取付体５の下開口５２の周縁部の間に挟まれている。カバー２３の周縁部と取付体５の下開口５２の周縁部の間は、第２パッキン４１によって周方向に亘って気密されている。このため、浴室６内の湿気や水、虫等は、カバー２３と面発光体２１との間に入り込み難くなっている。
【００６０】
カバー２３は、下方から複数のねじ４０を外すことで、取付体５から取り外すことができる。すなわち、カバー２３は、取付体５に下方から着脱可能に取り付けられている。
【００６１】
図１に示すように、枠状の取付体５の４辺のうち、一方の短辺を構成するフレーム５０を第１フレーム５０ａとし、他方の短辺を構成するフレームを第２フレーム５０ｂとする。また、取付体５の４辺のうち、一方の長辺を構成するフレーム５０を第３フレーム５０ｃとし、他方の長辺を構成するフレーム５０を第４フレーム５０ｄとする。第１フレーム５０ａ、第２フレーム５０ｂ、および第３フレーム５０ｃは、壁パネル６２上に載置され、対応する壁パネル６２に複数のねじ１０（図２参照）で連結されている。第４フレーム５０ｄは、第１天井パネル６０および第２天井パネル６１に複数のねじを用いて連結されている。
【００６２】
取付体５は、浴室６の対向する壁に連結され、浴室６の構造材として機能する。また、この取付体５に第１天井パネル６０および第２天井パネル６１が連結されるため、第１天井パネル６０および第２天井パネル６１は強く固定されている。
【００６３】
このように、浴室６の天井に設けられた照明装置１は、図２に示すカバー２３の浴室６内側に臨む面である下面が、隣接する第１天井パネル６０の下面および第２天井パネル６１の下面と面一状に配置される。そして、これらカバー２３の下面、第１天井パネル６０の下面、および第２天井パネル６１の下面によって、連続した天井面が構成される。
【００６４】
このようにカバー２３の下面と他の天井面を面一状に配置することで、照明装置１が他の天井と一体的に見えて外観が良くなる。なお、前記面一状とは、カバー２３の下面と天井パネルの下面が完全に面一となる状態に限られず、浴室６内に居る人から見て略面一とみなせる程度であれば、カバー２３の下面と天井パネルの下面の間には、僅かな段差があってもよい。また、カバー２３の下面と他の天井面を構成する第１天井パネル６０の下面および第２天井パネル６１の下面は、面一状に配置されなくてもよい。
【００６５】
照明装置１の面発光体２１は、平面状に分散して配置された多数の光源２８が同時に発光することで、面状に発光する。この面発光体２１から発せられた光は、取付体５の内側空間５３および下開口５２を介してカバー２３に至り、この後、カバー２３を通過して浴室６内に出る。
【００６６】
この照明装置１による照明は、浴室６の天井の広い範囲に亘る面発光体２１が平面状に発光し、あたかも浴室６に設けられた天窓から光が差し込むようである。
【００６７】
本実施形態の各スペーサー２０は、面発光体２１の多数の光源２８から発した光がカバー２３に略均一に至るように、面発光体２１とカバー２３の間の距離を適切な距離に保つ役割を果たしている。
【００６８】
本実施形態の各スペーサー２０は、反射率の高い白色の部材から形成されており、その内面（取付体５と反対側の面）が反射面になっている。このため、面発光体２１から発した光の一部は、反射面で反射した後、カバー２３を通過する。スペーサー２０の取付体５と反対側の内面が非反射面であると、この部分がやや暗くなる可能性があるが、本実施形態では各スペーサー２０の内面を反射面とすることでこれを改善している。なお、各スペーサー２０は、反射率の低い部材から形成されてもよい。
【００６９】
発光ブロック２５の光源２８を交換等する場合には、作業者は、例えば取付体５に取り付けられたカバー２３を浴室６内側から取り外す。これにより、作業者は、浴室６内側から照明装置１のメンテナンスを行うことができる。
【００７０】
また、この場合、作業者は、板材２４に取り付けられた各発光ブロック２５を浴室６内側から取り外すことができる。このため、作業者は、例えば図５に示すように板材２４から取り外した発光ブロック２５を、当該発光ブロック２５に接続された配線３４を取付孔２６から浴室６内側に引き出しながら、浴室６内側に移動できる。
【００７１】
以上説明した本実施形態の照明装置１は、以下に示す特徴を有している。照明装置１は、浴室６内側を向く面発光体２１と、透光性を有して面発光体２１の浴室６内側を覆うカバー２３を備える。面発光体２１は、カバー２３に対向する板材２４と、複数の発光ブロック２５とを備える。板材２４を厚み方向に貫通する取付孔２６が複数形成される。発光ブロック２５が複数の取付孔２６の夫々に配置される。複数の発光ブロック２５の夫々がカバー２３側に光を発する光源２８を備える。光源２８が板材２４に沿う平面状に分散して配置される。複数の発光ブロック２５の夫々が対応する取付孔２６の周縁部に取り付けられて、複数の発光ブロック２５の夫々で取付孔２６が塞がれる。
【００７２】
この特徴を有する照明装置１は、平面状に分散して配置された光源２８の発光により、面発光体２１が面状に発光し、この発光により浴室６内を照明できる。また、発光ブロック２５は、取付孔２６に配置される。このため、板材２４の板面に発光ブロック２５を取り付ける場合と比較して、照明装置１の薄型化を図ることができる。よって、浴室６の天井高さを高くして、広い浴室６空間とすることができる。また、板材２４に設けられた複数の取付孔２６が、発光ブロック２５によって塞がれる。このため、板材２４の浴室６外側に存在する埃や虫等が、取付孔２６の周縁部と発光ブロック２５の間を通って板材２４とカバー２３の間に入り込むことを抑制できる。よって、照明時に埃や虫等が影となって良好な照明を妨げることを抑制できる。また、板材２４とカバー２３の間に入り込んだ埃や虫等を取り除く手間も軽減できる。
【００７３】
また、照明装置１は、本実施形態のように、カバー２３の浴室６内に臨む面が、浴室６の天井面を構成することが好ましい。この場合、面発光体２１が面状に発光することで、あたかも浴室６に設けられた天窓から光が差し込むような照明とすることができる。このため、浴室６に居る人は、開放感を得ることができ、快適に入浴できる。なお、本実施形態の照明装置１は、浴室６の天井に設けられているが、浴室６の壁に設けられてもよい。
【００７４】
また、照明装置１は、本実施形態のように、カバー２３の浴室６内に臨む面が隣接する、浴室６の天井面と面一状に配置されるように構成されることが好ましい。この場合、照明装置１が他の天井と一体的に見えて外観を良くすることができる。
【００７５】
また、本実施形態の照明装置１は、以下の特徴を有することが好ましい。照明装置１は、カバー２３および板材２４が取り付けられ且つ浴室６に固定される取付体５を備える。カバー２３が取付体５に対して着脱可能である。複数の発光ブロック２５の夫々が、光源２８を収納するケース２９を備える。ケース２９が対応する取付孔２６の周縁部に気密状態で着脱可能に取り付けられるように構成される。
【００７６】
この特徴を有する照明装置１は、カバー２３を取付体５から取り外すことで、発光ブロック２５のメンテナンスを浴室６内側から行うことができる。また、作業者は、板材２４に取り付けられた発光ブロック２５を浴室６内側から取り外すことができる。このため、作業者は、例えば板材２４から取り外した発光ブロック２５を浴室６内側に移動でき、これにより作業者に近い位置で発光ブロック２５のメンテナンスを行うことができる。
【００７７】
図６に変形例の照明装置１Ａを示す。なお、以下の変形例の説明では、図４に示した照明装置１に対応する構成要素については同一の符号の後にＡを付し、共通する点は説明を省略する。
【００７８】
本実施形態では、発光ブロック２５Ａを板材２４Ａに取り付ける場合、作業者は、板材２４Ａの下方から、回路基板２７Ａを取付孔２６Ａに第１パッキン３５Ａを介して嵌め込む。そして、この後、ケース２９Ａの鍔部３１Ａに下方から通した複数のねじ４３Ａを板材２４Ａの取付孔２６Ａの周縁部にねじ込むことにより行われる。
【００７９】
なお、発光ブロック２５Ａを板材２４Ａに取り付ける方法は、前記に制限されない。例えば発光ブロック２５Ａは、ねじ４３Ａ以外の固着具を用いて板材２４Ａに取り付けられてもよいし、掛止によって板材２４Ａに取り付けられてもよい。
【００８０】
板材２４Ａに取り付けられた発光ブロック２５Ａは、複数のねじ４３Ａを外し、下方に移動することで、板材２４Ａから取り外すことができる。
【００８１】
本例の第１パッキン３５Ａは、鍔部３１Ａの上面に沿い鍔部３１Ａの周方向に亘る環状部分３６Ａと、周壁部３３Ａの外周面に沿い周壁部３３Ａの周方向に亘る筒状部分３７Ａを備えている。筒状部分３７Ａは、環状部分３６Ａの内縁部から上方に向かって突出している。
【００８２】
筒状部分３７Ａは、回路基板２７Ａと取付孔２６Ａの周縁部の間に挟まれて圧縮されている。この筒状部分３７Ａで、回路基板２７Ａと取付孔２６Ａの周縁部の間は気密されている。
【００８３】
環状部分３６Ａは、板材２４Ａに固定されたケース２９Ａの鍔部３１Ａによって上側に押圧されている。環状部分３６Ａは、鍔部３１Ａと取付孔２６Ａの周縁部の間に挟まれて圧縮されている。この環状部分３６Ａで、鍔部３１Ａと取付孔２６Ａの周縁部の間は気密されている。
【００８４】
以上のように、本例の発光ブロック２５Ａも、光源２８Ａおよび回路基板２７Ａの光源２８Ａが実装された面がケース２９Ａで覆われるため、発光ブロック２５Ａの防水性を高めることができる。
【００８５】
図７にさらに他の変形例の照明装置１Ｂを示す。なお、以下の説明では、図１に示した照明装置１に対応する構成要素については同一の符号の後にＢを付し、共通する点は説明を省略する。
【００８６】
本例の面発光体２１Ｂの板材２４Ｂに形成された取付孔２６Ｂは、板材２４Ｂの全体に亘るように、多数分散して形成されている。具体的に板材２４Ｂには、板材２４Ｂの幅方向（照明装置１の幅方向）に多数並べて形成された取付孔２６Ｂの列が、板材２４Ｂの長さ方向に多数列形成されている。各取付孔２６Ｂは、平面視矩形状に形成されている。
【００８７】
各取付孔２６Ｂに取り付けられる発光ブロック２５Ｂは、回路基板２７Ｂとこれに実装された光源２８Ｂを一つずつ備えている。なお、各発光ブロック２５Ｂは、図１に示した照明装置１の発光ブロック２５と同様に、第１パッキン３５Ｂを介して気密状態で取付孔２６Ｂの周縁部に取り付けられる。
【００８８】
また、この他、以上説明した照明装置１、１Ａ、１Ｂは、本発明の趣旨を逸脱しない範囲で適宜設計変更可能である。
【符号の説明】
【００８９】
１  照明装置
１Ａ  照明装置
１Ｂ  照明装置
２１  面発光体
２１Ａ  面発光体
２１Ｂ  面発光体
２３  カバー
２４  板材
２４Ａ  板材
２４Ｂ  板材
２５  発光ブロック
２５Ａ  発光ブロック
２５Ｂ  発光ブロック
２６  取付孔
２６Ａ  取付孔
２６Ｂ  取付孔
２８  光源
２８Ａ  光源
２８Ｂ  光源
２９  ケース
２９Ａ  ケース
２９Ｂ  ケース
５  取付体
６  浴室
【図１】
0006454937.tif 000002
【図２】
0006454937.tif 000003
【図３】
0006454937.tif 000004
【図４】
0006454937.tif 000005
【図５】
0006454937.tif 000006
【図６】
0006454937.tif 000007
【図７】
0006454937.tif 000008